【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
第１のネットワーク解析アプリケーションおよびリアルタイム取得システムの間で、第１の開かれたデータソケットを介してネットワークデータをリアルタイムで捕獲するステップと、
第２のネットワーク解析アプリケーションから前記リアルタイム取得システムへの直接ソケット引継要求コマンドを介して、前記第２のネットワーク解析アプリケーションおよび前記リアルタイム取得システムの間に第２のデータソケットを開くことによって、前記第１の開かれたデータソケットを引き継ぐステップと、
前記第１のネットワーク解析アプリケーションを介した前記第２のネットワーク解析アプリケーションからの制御コマンドに従って、前記第２のネットワーク解析アプリケーションによって前記リアルタイム取得システムを制御するステップと、
前記開かれた第２のデータソケットからリアルタイムで捕獲されたネットワークデータと、前記第１のネットワーク解析アプリケーションを介した前記リアルタイム取得システムに対する制御に基づいて、前記第２のネットワーク解析アプリケーションによってリアルタイムネットワークデータ測定を提供するステップと
を含む方法。
【請求項２】
前記第１のネットワーク解析アプリケーションは、第１の非標準インタフェースに従って、前記リアルタイム取得システムを制御し、
前記第１のネットワーク解析アプリケーションを介した前記第２のネットワーク解析アプリケーションによる前記リアルタイム取得システムに対する前記制御は、
前記第１のネットワーク解析アプリケーションおよび前記リアルタイム取得システムの間の前記第１の非標準インタフェースよりも抽象化された標準のインタフェース仕様に従って、前記第１のネットワーク解析アプリケーションおよび前記第２のネットワーク解析アプリケーションの間に第２のインタフェースを定義することを含む、
請求項１に記載の方法。
【請求項３】
前記第１のネットワーク解析アプリケーションおよび前記第２のネットワーク解析アプリケーションの間の前記標準インタフェース仕様に従って第２のインタフェースを定義することは、
拡張可能マークアップ言語（ＸＭＬ）ベースのインタフェースを定義して、前記第１の非標準インタフェースの抽象化された制御関連メッセージをカプセル化し、前記第１のネットワーク解析アプリケーションを介して前記リアルタイム取得システムを制御することを含む、
請求項２に記載の方法。
【請求項４】
前記第１のネットワーク解析アプリケーションは、第１のインタフェースに従って前記リアルタイム取得システムを制御し、
前記第１のネットワーク解析アプリケーションを介して、前記第２のネットワーク解析アプリケーションによる前記リアルタイム取得システムに対する前記制御は、
前記第１のネットワーク解析アプリケーションおよび前記リアルタイム取得システムの間の前記第１のインタフェースよりも抽象化された拡張可能マークアップ言語（ＸＭＬ）メッセージに基づいて、前記第１のネットワーク解析アプリケーションおよび前記第２のネットワーク解析アプリケーションの間に第２のインタフェースを定義するステップと、
前記第２のインタフェースの前記定義されたＸＭＬメッセージに基づいて、制御メッセージを生成するステップと、
前記生成されたＸＭＬメッセージを、前記第１のネットワーク解析アプリケーションに送信するステップと、
前記第１のネットワーク解析アプリケーションが、前記生成されたＸＭＬメッセージを、前記第１のインタフェースに従うメッセージに翻訳し、前記リアルタイム取得システムを制御するステップと、
前記第１のネットワーク解析アプリケーションが、前記翻訳された第１のインタフェースメッセージを、前記リアルタイム取得システムに送信し、前記リアルタイム取得システムにより捕獲されたリアルタイムネットワークデータに関して、前記リアルタイム取得システムを制御するステップと
を含む、請求項１に記載の方法。
【請求項５】
前記第１の開かれたデータソケットを引き継ぐ前記ステップは、
前記第２のネットワーク解析アプリケーションからの直接ソケット引継要求に応答して、前記第１のネットワーク解析アプリケーションおよび前記リアルタイム取得システムの間の前記第１の開かれたデータソケットを、前記リアルタイム取得システムが閉じるステップと、
前記第２のネットワーク解析アプリケーションおよび前記リアルタイム取得システムの間で、前記第２のデータソケットを、前記リアルタイム取得システムが開くステップと
を含む、請求項１に記載の方法。
【請求項６】
前記ネットワークデータをリアルタイムで捕獲する前記ステップは、
複数の対応する第１のネットワーク解析アプリケーションおよびリアルタイム取得システムの間における、複数の前記第１の開かれたデータソケットを介して、ネットワークデータをリアルタイムで捕獲するステップと、
前記リアルタイム取得システムのそれぞれによって捕獲されたデータフレームのそれぞれにタイムスタンプを記録するステップと、を含み、
前記第１の開かれたデータソケットを引き継ぐ前記ステップは、
前記第２のネットワーク解析アプリケーションから前記リアルタイム取得システムに対する直接ソケット引継要求コマンドを介して、前記第２のネットワーク解析アプリケーションおよび前記リアルタイム取得システムの間に複数の第２のデータソケットを開くことによって、前記複数の第１の開かれたデータソケットを引き継ぐステップと、
前記第２のデータソケットを介して前記リアルタイム取得システムのそれぞれから受信したデータフレームを、前記第２のネットワーク解析アプリケーションが、前記データフレームのタイムスタンプの時間順序に従って再構成するステップと、を含み、
前記リアルタイムネットワークデータ測定を提供する前記ステップは、
前記リアルタイム取得システムのうちの２つまたは２つ以上によってリアルタイムで捕獲された前記ネットワークデータを同時に解析するステップを含む、
請求項１に記載の方法。
【請求項７】
前記リアルタイムでネットワークデータを捕獲する前記ステップは、
専用電話接続、移動通信、光ファイバ送信システム、パケットまたはセルネットワーク技術のうちの１つ以上のタイプのネットワークからリアルタイムネットワークデータを捕獲することを含む、
請求項１に記載の方法。
【請求項８】
前記専用電話接続は、Ｔ１／ＤＳ１／Ｅ１およびＴ３／ＤＳ３／Ｅ３のうち１つ以上のものであり、
前記移動通信は、３Ｇ無線移動通信であり、
前記光ファイバ送信システムは、同期光ネットワーク（ＳＯＮＥＴ）であり、
前記パケットまたはセルネットワーク技術は、非同期転送モード（ＡＴＭ）である、
請求項７に記載の方法。
【請求項９】
複数のネットワークデータ捕獲装置により捕獲されたデータフレームのそれぞれにタイムスタンプを記録するステップと、
前記複数のデータ捕獲装置へのデータソケットを介して前記複数のネットワークデータ捕獲システムから受信した該データフレームを、該受信したデータフレームのタイムスタンプを比較することによって、ネットワーク解析ソフトウェアにおいて時間通りの順序に再構成し、これによって、１つの該ネットワーク解析ソフトウェアが、前記複数のデータ捕獲装置により捕獲されたネットワークデータを、同時に受信および解析することができるようにするステップと
を含む方法。
【請求項１０】
非互換なリアルタイムネットワークデータ取得システムと通信するように接続可能なネットワークデータアナライザであって、該ネットワークデータアナライザは、所定のプロセスに従って該ネットワークデータアナライザを制御するようプログラミングされたコンピュータプロセッサを備えており、該所定のプロセスは、
前記非互換のリアルタイム取得システムを起動するステップと、
前記ネットワークデータのリアルタイム捕獲の起動に応答して、前記非互換のリアルタイム取得システムに対する直接ソケット引継要求コマンドを介して、前記非互換のリアルタイム取得システムによって開かれたデータソケットを引き継ぐステップと、
前記非互換のリアルタイム取得システムが翻訳可能な制御コマンドに従って、前記非互換のリアルタイム取得システムを制御するステップと、
前記引き継がれた通信ソケットを介した、前記リアルタイムで捕獲されたネットワークデータと、前記翻訳可能な制御コマンドを介した前記非互換のリアルタイム取得システムの制御と、に基づいて、前記リアルタイムネットワークデータ測定を提供するステップと、を含む、
ネットワークデータアナライザ。
【請求項１１】
リアルタイムで前記ネットワークデータを捕獲するための、前記非互換のリアルタイムネットワークデータ取得システムによって翻訳可能な前記制御コマンドは、非互換ネットワーク解析アプリケーションと、前記非互換リアルタイムネットワークデータ取得システムのリアルタイムネットワークデータ捕獲装置との間の非標準インタフェースよりも抽象化された標準インタフェース仕様を含む、
請求項１０に記載のネットワークデータアナライザ。
【請求項１２】
より抽象化された前記標準のインタフェース仕様は、拡張可能マークアップ言語（ＸＭＬ）ベースのインタフェースであり、前記非互換ネットワーク解析アプリケーションと、前記非互換リアルタイムネットワーク取得システムのリアルタイムネットワークデータ捕獲装置との間で使用される前記非標準インタフェースの抽象化された制御関連メッセージをカプセル化する、
請求項１１に記載のネットワークアナライザ。
【請求項１３】
前記ネットワークアナライザは、ネットワークデータをそれぞれがリアルタイムで捕獲し、該リアルタイムで捕獲した各データフレームにそれぞれタイムスタンプを記録する前記複数の非互換リアルタイムネットワークデータ取得システムと通信するように接続可能であり、
前記プログラミングされたコンピュータプロセッサによるプロセスはさらに、
前記複数の非互換リアルタイムネットワークデータ取得システムを起動するステップと、
前記ネットワークデータのリアルタイム捕獲の起動に応答して、前記非互換リアルタイムネットワークデータ取得システムに対する直接ソケット引継要求コマンドを介して、前記非互換リアルタイムネットワークデータ取得システムによって開かれたデータソケットに引き継ぐステップと、
前記非互換リアルタイムネットワークデータ取得システムのそれぞれが翻訳可能な制御コマンドに従って、該非互換リアルタイムネットワークデータ取得システムのそれぞれを制御するステップと、
前記引き継がれたソケットを介して前記リアルタイムネットワーク取得システムのそれぞれから受信したデータフレームを、前記データフレームのタイムスタンプに従って時間どおりの順番に再構成するステップと、を含み、
前記リアルタイムネットワークデータ測定を提供する前記ステップは、前記リアルタイムネットワークデータ取得システムのうちの２つ以上によってリアルタイムで捕獲された前記ネットワークデータを同時に解析することを含む、
請求項１０に記載のネットワークアナライザ。
【請求項１４】
前記非互換ネットワークデータ取得システムは、専用電話接続、移動通信、光ファイバ送信システム、パケットまたはセルネットワーク技術のうちの１つ以上のタイプのネットワークのタイプからネットワークデータをリアルタイムで捕獲する、
請求項１０に記載のネットワークアナライザ。
【請求項１５】
前記専用電話接続は、Ｔ１／ＤＳ１／Ｅ１とＴ３／ＤＳ３／Ｅ３のうちの１つ以上のものであり、
前記移動通信は、３Ｇワイヤレス移動通信であり、
前記光ファイバ送信システムは、同期光ネットワーク（ＳＯＮＥＴ）であり、
前記パケットまたはセルネットワーク技術は、非同期転送モード（ＡＴＭ）である、
請求項１４に記載のネットワークアナライザ。